(57)【特許請求の範囲】
【請求項１】
壁パネルが金属板製の化粧板を備えた構造になっており、前記化粧板の周囲に、笠木や巾木、或いは支柱のような枠材に重なる折り返し部を形成している電磁波シールド室において、
前記壁パネルにおける化粧板の周縁部の裏側に、当該化粧板の折り返し部と枠材の表面とに重なる未塗装金属板製の導電補助板を、前記折り返し部の略全長にわたって延びるように配置し、この導通補助板と前記折り返し部とを、シールド性を向上させたい電磁波群のうち最も周波数の高い電磁波の波長の半分以下のピッチで互いに導通する状態に固定している、
電磁波シールド室の構造。
【請求項２】
前記導通補助板と枠材とに導電性テープを跨がった状態で貼っている、
請求項１に記載した電磁波シールド室の構造。
【請求項３】
主として２５ＭＨｚ〜３ＧＨｚ程度の周波数帯の電磁波のシールドを目的としており、このため、前記導通補助板と折り返し部との固定ピッチを約５０ｍｍかそれ以下に設定している、
請求項１又は２に記載した電磁波シールド室の構造。
【請求項４】
２５〜６００ＭＨｚ程度の低い周波数帯の電磁波のシールド性向上を目的としており、このため、前記導通補助板と折り返し部との固定ピッチを約２００〜２５０ｍｍかそれ以下に設定している、
請求項１又は２に記載した電磁波シールド室の構造。
【発明の詳細な説明】
【０００１】
【発明の属する技術分野】
本発明は、電磁波シールド室の構造に関するものである。
【０００２】
【従来の技術】
電磁波シールド室は、壁パネルや支柱等の構成部材を導電性の素材で製造することにより、それの構成部材を電磁波が貫通することを阻止し、かつ、部材間の隙間を遮蔽することにより、電磁波が部材間の隙間から侵入するのを阻止している。
【０００３】
したがって、シールド性を高めるためには、部材と部材との接合箇所での隙間を可能な限り無くす必要がある。そこで、重なり合った部材をビスで固定するにおいて、ビス止めのピッチをできるだけ小さくすることにより、部材同士の密着性を高めていることが多い（例えば特開平５−２３５５８０号や実用新案登録第２５８４２２２号公報参照）。
【０００４】
【発明が解決しようとする課題】
しかし、ビス止めのピッチを過度に小さくすると、ビス打ちの作業に多大の手間がかかるばかりか、コストも嵩むことになる。
【０００５】
本発明は、組立て作業の手間とコストをできるだけ抑制した状態で、電磁波シールド性を向上することを目的とするものである。
【０００６】
【課題を解決するための手段】
ところで、電磁波の波長の約半分の距離で導体が隔たっていると、電磁波は共振によって再放射されてしまう性質がある。しかし、壁パネルを構成する導電性の部材をビス止めする場合、ビスの間隔を電磁波の波長の半分以下に狭めると、導体の隔たりが波長の半分より小さくなり、シールド性を高めることができることを発見した。
【０００７】
本願の発明者たちは、この電磁波の性質に関する知見と実験とにより、本願発明を完成させるに至った。
【０００８】
【０００９】
すなわち、請求項１の発明では、壁パネルが金属板製の化粧板（表面板）を備えた構造になっており、前記化粧板の周囲に、笠木や巾木、或いは支柱のような枠材に重なる折り返し部を形成している電磁波シールド室において、前記壁パネルにおける化粧板の周縁部の裏側に、当該化粧板の折り返し部と枠材の表面とに重なる未塗装金属板製の導電補助板を、前記折り返し部の略全長にわたって延びるように配置し、この導通補助板と前記折り返し部とを、シールド性を向上させたい電磁波群のうち最も周波数の高い電磁波の波長の半分以下のピッチで互いに導通する状態に固定している。
【００１０】
請求項２の発明では、請求項１のより好適な形態として、前記導通補助板と枠材とに導電性テープを跨がった状態で貼っている。
【００１１】
空中を飛び交う電磁波は、通信用の電波や、電気機器やエンジン等から発生するノイズなど、発生源及び周波数ともに多岐にわたっている。例えば、ＣＢ無線では２７ＭＨｚ帯であり、ハム無線では１４４ＭＨｚ帯又は４００ＭＨｚ帯が使用されており、携帯電話では８００ＭＨｚ帯と１５００ＭＨｚ帯が使用されており、ＰＨＳでは１９００ＭＨｚ帯が使用されており、更に、構内無線ＬＡＮ（ローカルエリアネットワーク）では２４５０ＭＨｚ帯の電波が使用されている。
【００１２】
このような電磁波の状態を考慮すると、ＯＡ機器や医療機器などの一般的な電子機器は、主として２５ＭＨｚ〜３ＧＨｚ程度の周波数帯の電磁波に影響を受けることが多い。そこで、請求項３では、主として２５ＭＨｚ〜３ＧＨｚ程度の周波数帯の電磁波をシールドすることを目的として、ビス等によって部材を固定するピッチを約５０ｍｍかそれ以下に設定している。
【００１３】
また、多くの電子機器は、２５ＭＨｚ〜３ＧＨｚ程度の周波数帯のうちでも特に６００ＭＨｚより低い周波数帯の電磁波によって誤作動しやすい。そこで、請求項４では、経済性も考慮して、主として２５〜６００ＭＨｚ程度の低い周波数帯の電磁波のシールド性向上を目的として、ビス等によって部材を固定するピッチを約２００〜２５０ｍｍかそれ以下に設定している。
【００１４】
【発明の作用・効果】
部材同士をビスで固定したりスポット溶接したりする場合、部材同士が全長にわたって完全に密着していなくても、ビス等による固定箇所では、部材同士は互いに導通している。
【００１５】
他方、電磁波は回析現象によって隙間を通り抜ける性質があるが、導電性の部材が波長の半分以下のピッチでビス止め等されていると、ビス止め等の場所はある程度の面積があることにより、前記したように、導電性の部材の導通部間の隔たりが波長の半分の距離より小さくなるため（ビス止めの場合、ピッチよりもビスの直径分だけ導通部間の隔たりが小さくなる）、電磁波のシールド性を高めることができる。
【００１６】
このため、いずれの請求項の発明においても、部材同士を過度に短いピッチでビス止め等しなくても、電磁波のシールド性能を向上することが可能となる。
【００１７】
また、本願発明では、導電補助板の存在とビス等による固定ピッチの工夫とが相俟って、壁パネルの周囲からの電磁波の侵入・漏れを効果的に抑制することができる。更に、請求項２のように構成すると、導電補助板と枠材とが導電性テープで導通できるため、電磁波のシールド性をより一層向上させることができる。
【００１８】
ところで、電磁波の漏れ（侵入）の程度は、周波数や強さ、或いは壁等の構造によって様々に異なる。従って、求められるシールド性能の程度や経済性などの様々の事情を考慮して、ビス等による部材の固定ピッチを設定すれば良い。
【００１９】
例えば、電子機器への影響が特に大きい周波数帯の電磁波や、特に漏れやすい周波数帯の電磁波などを集中的にシールドできれば全体のシールド性能は向上できるのであり、したがって、電子機器等が影響を受けやすい周波数帯の電磁波を集中的にシールドするために、ビス等の固定ピッチを設定すれば良い。
【００２０】
また、一つの電磁波シールド室において、電磁波の漏れ易さの違いや入射する電磁波の強さの違い、或いは組み立て作業の容易性等の各種の事情を勘案して、ビス等による部材の固定ピッチを場所によって異ならせてもよいのである。
【００２１】
本願発明は、ビス等の固定ピッチを工夫することによって、ある周波数帯（或いは特定の周波数）の電磁波に対するシールド効果を高めるものであり、電磁波シールド室自体は、より広範な周波数帯の電磁波をシールドできることは言うまでもない。
【００２２】
【発明の実施形態】
次に、本発明の実施形態を図面に基づいて説明する。
【００２３】
(1).第１実施形態（図１〜図14）
図１〜図１４では第１実施形態を示しており、このうち図１では、電磁波シールド室における壁の一部を大雑把に表示している。
【００２４】
この図１に示すように、電磁波シールド室の壁は、天井に配置した笠木１、床に配置した巾木２、笠木１と巾木２との間で水平方向に所定間隔で配置した支柱３、隣あった支柱３の間のエリアごとに配置した多数枚の壁パネル４，５，６，７やドア８、ガラス窓９等から成っている。本実施形態では、笠木１と巾木２と支柱３とが、請求項に記載した枠材（骨組）に該当する。
【００２５】
なお、笠木１は天レール又は天枠体と言い換えても良く、巾木２は地レール又は地枠体と言い換えても良い。
【００２６】
壁パネルは用途又はデザインの要請から高さの異なる複数種類が使用されており、便宜上、笠木１と巾木２との間の全長にわたって延びるものを第１壁パネル４、ドア８と同じ高さのものを第２壁パネル５、第２壁パネル５の上方に配置したものを第３壁パネル６、ガラス窓９の下方に配置したものを第４壁パネル７と称する。
【００２７】
以下、各構成部材について説明する。
【００２８】
(1)-1.支柱、笠木、巾木、壁パネル
先ず、図２〜図４に基づいて、支柱３と笠木１及び巾木２について説明する。図２は図１のII−II視平断面図、図３は支柱３の支持状態を示す分離斜視図、図４は支柱３を笠木１に固定する構造を示す分離斜視図である。
【００２９】
図２に示すように、支柱３は、鋼板のような金属板を素材として全体として平面視四角形に形成されており、両長手側縁は巻き締め状にかしめ付けられている（かしめ箇所を符号３ａで示す）。また、支柱３の表裏両側には、左右一対ずつのはみ出し部３ｂを有する平面視略Ｔ形の突出部３ｃが形成されている。
【００３０】
一般に支柱３の外面は樹脂系等の塗料で塗装されているが、塗装せずに金属面（亜鉛メッキ等の金属メッキのメッキ層を含む。この点は他の部材も同じである。）を露出させておくことも可能である。
【００３１】
図２で第１壁パネル４を代表として示すように、各壁パネル４，５，６，７は、石膏ボード等から成る芯材１０と、その表面に張った金属板製の化粧板１１とからなっており、化粧板１１の左右両側部を芯材１０よりも左右外側に突出させて、これに、支柱３のはみ出し部３ｂに弾性に抗して嵌合する鉤状係合部１１ａを上下に長く延びるように形成している。なお、壁パネルの構成要素として必ずしも芯材１０は必要なく、壁パネルが化粧板１１のみで構成されていても良い。
【００３２】
巾木２は鋼板等の金属板で断面コ字状に形成されており、図３に示すように、巾木２の内部にはアジャスターボルト１２付きの脚１３が配置されており、この脚１３で支柱３を高さ調節自在に支持している。脚１３は支柱３に内側から嵌まっており、その左右両側面には、支柱３の左右内側面に当たる位置決め片１４と、支柱３の下端が載る支持爪１５とが形成されている。なお、巾木２の表裏外側面は塗装されているが、内面と下面とは塗装していない。
【００３３】
支柱３の下部には、当該支柱３を左右から抱き込むような平面視コ字状のパネル受け１６がねじ１７で固定されており（図３では一方のパネル受け１６しか描いていない）、このパネル受け１６に、前後一対のずつの鉤形支持片１８と規制片１９とを形成している。
【００３４】
他方、第１壁パネル４、第２壁パネル５、第４壁パネル７では、鉤状係合部１１ａの下端部を切欠いており、その切欠き部２０の上端において、鉤状係止部１１ａをパネル受け１６の鉤形支持片１８で支持している。また、パネル受け１６の規制片１９が壁パネル４，５，７の化粧板１１の内面に当たっている。このため、壁パネル４，５，７はパネル受け１６によって前後左右ずれ不能に支持されている。
【００３５】
図４に示すように、支柱３の上端部には、上金具２２が前後左右ずれ不能に嵌まっている。上金具２２の上部は笠木１に嵌まり込んでおり、上端に設けた水平片２３をねじ（図示せず）で笠木１に締結している。
【００３６】
また、支柱３の上端部には、前後一対の押さえ金具２４が外側から重なっている（図では一方の押さえ金具２４しか描いていない）。押さえ金具２４の重なりを許容するため、当該押さえ金具２４には下向きの切欠き２５が形成されており、支柱３の前後突出部３ｃには上向きの切欠き２６が形成されている。
【００３７】
また、押さえ金具２４には、支柱３の左右外面に重なる抱持片２４ａを折曲げ形成しており、この抱持片２４ａに内向き突設した爪２７を、支柱３の側板に形成した係合穴２８に嵌め込んでいる。係合穴２８を上下２段に形成している。
【００３８】
そして、押さえ金具２４には、左右一対ずつの係止爪２９，３０を下向きに突設している一方、第１壁パネル４及び第３壁パネル６における化粧板１１の上折り返し部１１ｂには、係止爪２９，３０が嵌まる係合穴３１と切欠き３２とを形成している。このため、第１壁パネル４及び第３壁パネル６は、その上部においても前後左右にずれ不能に保持されている。
【００３９】
図２に一点鎖線で示すように、壁パネル４，５，６，７の裏面と支柱３とに跨がって導電性テープ３３を貼っても良い。
【００４０】
(1)-2.笠木と壁パネルとの関係
図５のうち (A)は図１の VA-VA視断面図であり、この図に示すように、笠木１は天井枠３４にビス３５で固定されている。天井枠３４と笠木１との間には２列の導電性ガスケット３６を介在させている。なお、ビス３５は、絶縁処理されていないタッピングねじ又はドリルねじが好ましい（この点は、他のビスも同じである）。
【００４１】
笠木１は、その外側面は塗装しているが、内面と上面とは塗装していない。符号３７で示すのは天井パネルである。隣合った支柱３の間には、補強用の横桟３８を適当な上下間隔で配置している。
【００４２】
各壁パネル４，５，６，７とも、化粧板１１の上下両端は、折り返し部１１ｂ，１１ｃを形成することによって断面コ字状になっている。そして、電磁波シールド室の内側に位置する第１壁パネル４及び第３壁パネル６においては、図５（Ｂ）の拡大図に明示するように、上部の折り返し部１１ｂの内面と芯材１０の裏面とに重なるように導電補助板３９を配置し、この導電補助板３９と折り返し部１１ｂとを、上方からねじ込んだビス４０で締結している。
【００４３】
導電補助板３９は鋼板のような金属板からなっており、その表裏両面とも塗装せずに金属面を露出させている。
【００４４】
導電補助板３９は笠木１の外面にも部分的に重なっている。そして、笠木１の内面と導電補助板３９とに跨がった状態で、導電性テープ３３を貼っている。導電性テープ３３は、壁パネル４，６のほぼ全長にわたって延びている。なお、導電性テープ３３は、アルミ箔や銅箔のような金属箔に導電性接着剤（又は粘着剤）を塗布したものが好ましい。
【００４５】
図６は図５のVI−VI視断面図であり、この図に示すように、笠木１は、ほぼ等しいピッチＰ１でビス３５で締結されている。この場合、従来は笠木１の取付け強度のみを考慮して５００〜１０００ｍｍのピッチでビス止めしていたが、本実施形態では、電磁波のシールド性も考慮して、ビス止めのピッチＰ１を従来よりも遥かに小さい２００ｍｍ前後に設定している。
【００４６】
図７は図５（Ｂ）の VII-VII視断面図であり、化粧板１１の上折り返し部１１ｂと導電補助板３９とはほぼ等しいピッチＰ２でビス４０で締結されている。この場合のビス４０のピッチＰ２も２００ｍｍ前後に設定している（従って、壁パネル４，６の巾が９００ｍｍであると、ビス４０の本数は４〜５本になる）。
【００４７】
電磁波シールド室の外側に位置した第１壁パネル４及び第３壁パネル６には導電補助板３９を締結していないが、すべての壁パネルに導電補助板３９を締結しても良い。但し、導電性テープ３３は、電磁波シールド室の内側又は外側のいずれか一方の壁パネルにしか貼ることはできない。
【００４８】
(1)-3.巾木と壁パネルとの関係
巾木２と壁パネル４，５，７との関係は図８〜図１０に示している。図８は図１のVIII−VIII視断面図、図９は図８のIX−IX視断面図、図１０は図８の X-X視断面図である。
【００４９】
これらの図に示すように、巾木２は２列の導電性ガスケット３６を介して床にビス４１で締結されており、巾木２を固定するビス４１のピッチＰ３は、笠木１の締結ピッチと同様に２００ミリ前後に設定している。
【００５０】
なお、床は導電性シートや金属板を貼って導電構造になっているが、この点は省略している。また、電磁波シールド室の床には床板４２を敷設している。
【００５１】
電磁波シールド室の内側に位置した第１壁パネル４、第２壁パネル５、第３壁パネル６における化粧板１１の下折り返し部１１ｃには、上折り返し部１１ｂの場合と同様に、導電補助板３９をビス４３で締結し、導電補助板３９と巾木の内面とに導電性テープ３３を跨がった状態で貼っている。
【００５２】
そして、導電補助板３９を締結したビス４３のピッチＰ４は、上端部の場合と同様に２００ｍｍ前後に設定している。
【００５３】
(1)-4.第２壁パネルと第３壁パネルとの関係
次に、第２壁パネル５と第３壁パネル６との関係を図１１及び図１２に基づいて説明する。図１１は図１のXI−XI視断面図、図１２は図１１のXII-XII 視図である。
【００５４】
これらの図に示すように、第２壁パネル５の上折り返し部１１ｄに第３壁パネル６の下折り返し部１１ｅを嵌合することにより、第３壁パネル６を前後ずれ不能に保持しており、更に、電磁波シールド室の内側に位置した両壁パネル５，６の折り返し部１１ｄ，１１ｅをビス４４で締結している。
【００５５】
この場合、ビス４４で締結するピッチＰ５は２５０〜３００ｍｍに設定している（従って、壁パネル５，６の巾が９００ｍｍの場合は、ビス４４の本数は３〜４本になる）。また、両壁パネル５，６における折り返し部１１ｅ，１１ｄの塗膜を剥がして、金属面を互いに密着させておくのが好ましい。
【００５６】
なお、図示していないが、第２壁パネル５の上部は図示しない金具によって支柱３に連結されている。
【００５７】
(1)-5.ドア部の構造
次に、ドア部の構造を図１３に基づいて説明する。図１３は図１のXIII−XIII視断面図であり、ドア８は、芯材４６の表裏に金属製化粧板４７を張った構造になっている。
【００５８】
表裏化粧板４７は、芯材４６の全周にわたって延びる断面コ字状の内部補強枠４８と外部補強枠４９とで内外から挟まれており、両補強枠４８，４９は多数本のビス５０で締結されている。この場合、内部補強板４８に、外部補強枠４９に密着する凸部４８ａを形成している。
【００５９】
内部補強枠４８は、その全体が塗装されずに金属面が露出している一方、外部補強枠４９は外面のみが塗装されていて、内面は金属面が露出している。内部補強枠４８と外部補強枠４９とをビス５０で締結するピッチＰ６は、できるだけ短い寸法（例えば５０〜２００ｍｍ）としている。
【００６０】
出入り口の周囲は、上ドア枠５１と下ドア枠（靴ずり）５２、左右の縦ドア枠（図示せず）とで構成されており、各ドア枠５１，５２には、ドア８の裏面に当たる導電性ガスケット５３を設けている。言うまでもないが、ドア８は一方の縦ドア枠にヒンジ５４（図１参照）で取付けられており、補強枠４８，４９及び化粧板４７は、ヒンジ５４を介して支柱３等に導通している。
【００６１】
上ドア枠５１には、第３壁パネル６の下折り返し部１１ｅが嵌まる折り返し部５１ａを形成しており、電磁波シールド室の内側に位置した第３壁パネル６の下折り返し部５１ａと上ドア枠５１とをビス５５で締結している。この場合のビス５５の締結ピッチは図１１及び図１２の場合と同じである。
【００６２】
(1)-6.ガラス窓９の構造
ガラス窓９の構造は図１４（図１のＸIV−ＸIV視断面図）に示している。すなわち、電磁波シールド層５６を挟んで一対の板ガラス５７が重なっており、この板ガラス５７の対を、導電性ガスケット５８及び導電性テープ５９を介して固定窓枠６０と押さえ窓枠６１で挟み固定している。
【００６３】
両枠６０，６１ともアルミ等の金属の押し出し加工品であり、縦長の固定窓枠６０には、支柱３のはみ出し部３ｂに被嵌する嵌合部６０ａが形成されており、支柱３のうちはみ出し部３ｂの内側に形成された溝には導電性ガスケット６２を嵌め入れている。
【００６４】
また、押さえ窓枠６１は断面コ字状に形成されており、その先端縁に鉤部６１ａを形成する一方、固定窓枠６０には、押さえ窓枠６１の鉤部６１ａが嵌合する溝部６０ｂを形成している。押さえ窓枠６１は、前後間隔が狭まるように撓み変形させることにより、固定窓枠６０に嵌め込むことができる。
【００６５】
縦長の固定窓枠６０はビスで支柱３に固定されており、横長の固定窓枠６０ははビスで縦長の固定窓枠６０に固定されている。なお、各窓枠６０，６１は塗装せずに金属面を露出させている。
【００６６】
(1)-7.電磁波シールドの作用
電磁波は垂直偏波と水平偏波との混合波であり、水平方向に延びる隙間には主として垂直偏波が侵入し、垂直方向（鉛直方向）に延びる隙間には主として水平偏波が侵入する。
【００６７】
従って、笠木１と天井枠３４との接合箇所や壁パネル４，５，６，７と笠木１及び巾木２との接合箇所、上下壁パネル５，６の接合箇所、或いはドア８の上端部や下端部でのシールド性には垂直偏波が影響する。他方、壁パネル４，５，６７と支柱３との接合箇所やドア８の左右端部でのシールド性には、水平偏波が影響する。
【００６８】
また、空中には様々の周波数の電磁波が飛び交っているが、ＯＡ機器等の電子機器を誤作動させるのは、主とし２５ＭＨｚ〜３ＧＨｚの電磁波であり、特に、１００〜６００ＭＨｚの低い周波数帯の電磁波の影響が大きい。従って、一般の電磁波シールド室としては、１００〜６００ＭＨｚの領域の電磁波を効果的にシールドするのが好ましい。
【００６９】
そして、１００ＭＨｚでは波長は約３０００ｍｍ、２００ＭＨｚでは波長は約１５００ｍｍ、３００ＭＨｚでは波長は約１０００ｍｍ、４００ＭＨｚでは波長は約７５０ｍｍ、５００ＭＨｚでは波長は約６００ｍｍ、６００ＭＨｚでは波長は約５００ｍｍになる。
【００７０】
そこで、電磁波の波長を考慮して、笠木１及び巾木２をビス止めするピッチＰ１，Ｐ３や、導電補助板３９と折り返し部１１ｂ，１１ｃとをビス止めするピッチＰ２，Ｐ４を、電子機器が特に影響を受けやすい周波数帯の最高周波数である６００ＭＨｚの波長５００ｍｍの半分程度よりも小さい２００〜２５０ｍｍに設定している。
【００７１】
空中を飛び交う電磁波の周波数は様々であるから、理論的には、ビス止めピッチＰ１，・・はできるだけ小さい寸法に設定するのが好ましいが、一般の電子機器の場合、主として６００ＭＨｚよりも低い周波数帯の電磁波の影響を受けることが多いため、ピッチが２００ｍｍ程度でも十分なシールド効果を得ることができる。もちろん、電磁波群を広い周波数帯で網羅的にシールドしたい場合や、より高い周波数のシールド性も高めたい場合は、例えばピッチＰ１，Ｐ２・・・・を５０ｍｍかそれ以下に設定したら良い。
【００７２】
なお、部材同士はビスを介して導通しているため、仮にビス止めのピッチＰ１，・・・を２５０ｍｍとした場合、部材同士の導通部の間隔は２５０ｍｍからビスの直径の寸法を減じた寸法になる。従って、波長が５００ｍｍの電磁波であっても再放射は生じず、効率的にシールドされる（もちろん、波長が５００ｍｍよりも小さい電磁波もシールドされる）。
【００７３】
本願発明者たちは、第１壁パネル４と巾木２との箇所について、第１壁パネル４を巾木２に重ねただけの場合と、ビス止めピッチＰ４を１４０ｍｍとして導電補助板３９を締結した場合とについてシールド性の実験を行った。その結果、垂直偏波のシールド率が、１００ＭＨｚの場合で約８７ｄＢから約９４ｄＢに、２００ＭＨｚの場合で約６３ｄＢから８３ｄＢに、４００ＭＨｚの場合で約７３ｄＢから約８３ｄＢに向上することが確認された。
【００７４】
なお、第２パネル５と第３パネル６との接合箇所では、回析現象が生じにくいため、及び折り返部１１ｄ，１１ｅの塗膜が剥がされているためと解されるが電磁波の漏洩は少なく、このため、ビス止めピッチＰ５が３００ｍｍ程度でも高いシールド性を確保できた。
【００７５】
導電補助板３９と笠木１及び巾木２とに跨がって導電性テープ３３を貼ると、電磁波の漏洩を一層抑制することができる。また、導電補助板３９は表裏とも金属面が露出しているため、化粧板１１と導電性テープ３３とに対する導通性が確実となって、シールド性を一層向上することができる。なお、導電補助板３９は接着材等によって芯材１０に接着しておくのが好ましい。
【００７６】
壁パネル４，５，６，７への導電補助板３９の固定作業は自動機を使用する等して工場で行うことができるため、現場で動力ドライバーを使用して手作業によってビス打ちする場合に比べて、作業者への負担は著しく少ない。従って、経済性を考慮しても、導電補助板３９のビス止めピッチＰ４を例えば５０ｍｍ程度に設定することは十分に可能である（この点は、ドア８のビス止めピッチＰ６についても同じである）。
【００７７】
なお、ビス止めすることに代えて、スポット溶接によって固定したり、リベットで固定したり、導電性接着剤で固定したりすることも可能である。また、笠木１と巾木２には下穴を空けておくのが好ましい。
【００７８】
(1)-8.実施形態の利点及び変形例
ドア８を本実施形態の構造にすると、内部補強枠４８と外部補強枠４９との金属面同士が密着しているため、電磁波の漏洩を防止又は著しく抑制してシールド効果を向上できる利点がある。
【００７９】
また、図１４に示すように、ガラス窓９において、押さえ窓枠６１を固定窓枠６０に嵌め込む構造にすると、両枠６０，６１の密着性が高まって高いシールド性を確保することができ、しかも、取付け作業の手間も軽減できる。
【００８０】
図８に一点差線で示すように、電磁波シールド室の外側に配置した壁パネル４，５，７の下折り返し部１１ｃをビス６４で巾木２に締結したり、図１１に一点鎖線で示すように、電磁波シールド室の外側に位置した壁パネル５，６の折り返し部１１ｄ，１１ｅをビス６４で締結しても良い。また、図示していないが、電磁波シールド室の外側に配置した壁パネル４，６の上折り返し部１１ｂを笠木１にビスで固定しても良い。
【００８１】
(2).第２実施形態（図15）
図１５に示す第２実施形態では、表裏の壁パネルＰの下折り返し部１１ｃに導電補助板３９を配置し、電磁波シールド室の内側又は外側に位置した一方の壁パネルＰの導電補助板３９と下折り返し部１１ｃとを、水平状に延びるビス６５で巾木２に締結している。
【００８２】
ビス６５は巾木２の内側からねじ込んでおり、ビス６５の頭は導電性テープ３３で覆われている。また、巾木２における一方の側板には、ビス６５とドライバビットが通過する窓穴６６を空けている。窓穴６６は、締結作業の後に導電性テープ６７で塞いでいる。
【００８３】
本実施形態では、他方の壁パネルＰの下折り返し部１１ｃもビス６８で巾木２に固定している。言うまでもないが、他方の壁パネルＰは、巾木２の窓穴６６からずれた部位でビス止めしている。なお、導電補助板３９は化粧板１１にスポット溶接で固定している（溶接箇所を符号６９で示している）。
【００８４】
本実施形態では、巾木２と壁パネルＰとの密着性を一層向上できる。
【００８５】
(3).第３実施形態（図16）
図１６に示す第３実施形態では、支柱３と壁パネルＰとを第１実施形態と同様の構造として、各壁パネルＰにおける化粧板１１の両側縁に導電補助板３９をスポット溶接で固定し、電磁波シールド室の内外いずれか一方に位置した壁パネルＰの導電補助板３９と支柱３とに跨がって導電性テープ３３を貼っている。一点鎖線で示すように、他方の壁パネルＰも支柱３にビス６８で固定しても良い。
【００８６】
(4).第４実施形態（図17）
図１７に示す第４実施形態では、壁パネルＰを支柱３に固定する手段として、壁パネルＰにおける化粧板１１の左右両側縁に平面視Ｕ字状の嵌合部１１ｆを形成し、隣合った壁パネルｐの嵌合部１１ｆを目地部材７０を介してビス７１で支柱３に固定している。
【００８７】
そして、壁パネルＰにおける化粧板１１の左右側部に導電補助板３９をスポット溶接によって固定し、電磁波シールド室の内外いずれか一方の壁パネルＰの導電補助板３９と支柱３とに跨がって導電性テープ３３を貼っている。
【００８８】
(5).その他
本発明は上記の実施形態の他にも様々に具体化できる。例えば、壁は単層構造としても良いし、壁や天井等にフェライトタイル等の他のシールド層を設けることも可能である。
【００８９】
笠木や巾木、支柱の形状も様々に具体化できるし、支柱をなくして壁パネル同士を固定することも可能である。また、ビス等による固定ピッチを電磁波の波長との関係で設定することは、天井パネルの固定構造等にも適用することができる。なお、壁パネルに導電補助板を設けることは、ビス止め等のピッチに関する発明とは関係なく、それ自体が独立した発明として成立し得る。
【図面の簡単な説明】
【図１】第１実施形態に係る電磁波シールド室の部分斜視図である。
【図２】図１のII−II視平断面図である。
【図３】支柱と巾木と壁パネルとの関係を示す分離斜視図である。
【図４】支柱と笠木と壁パネルとの関係を示す分離斜視図である。
【図５】（Ａ）は図１の VA-VA視断面図、 (B)は (A)の部分拡大図である。
【図６】図５（Ａ）のVI−VI視断面図である。
【図７】図５（Ｂ）の VII-VII視断面図である。
【図８】図１のVIII−VIII視断面図である。
【図９】図８のIX−IX視断面図である。
【図10】図８の X-X視断面図である。
【図11】図１のXI−XI視断面図である。
【図12】図１１のXII-XII 視断面図である。
【図13】図１のXIII−XIII視断面図である。
【図14】図１４は図１の XIV-XIV視断面図である。
【図15】第２実施形態を示す側断面図である。
【図16】第３実施形態を示す平断面図である。
【図17】第４実施形態を示す平断面図である。
【符号の簡単な説明】
１  笠木
２  巾木
３  支柱
４，５，６，７，Ｐ  壁パネル
１０  芯材
１１  化粧板
１１ｂ，１１ｃ，１１ｄ，１１ｅ  折り返し部
３３  導電性テープ
３５，３６，４０，４１，５０，５５  ビス
３９  導電補助板
【図１】
0004386554.tif 000002
【図２】
0004386554.tif 000003
【図３】
0004386554.tif 000004
【図４】
0004386554.tif 000005
【図５】
0004386554.tif 000006
【図６】
0004386554.tif 000007
【図７】
0004386554.tif 000008
【図８】
0004386554.tif 000009
【図９】
0004386554.tif 000010
【図１０】
0004386554.tif 000011
【図１１】
0004386554.tif 000012
【図１２】
0004386554.tif 000013
【図１３】
0004386554.tif 000014
【図１４】
0004386554.tif 000015
【図１５】
0004386554.tif 000016
【図１６】
0004386554.tif 000017
【図１７】
0004386554.tif 000018